(57)【要約】      （修正有）【課題】インクの浮遊発散と蒸発を効果的に防止可能なインク保存ボックスを提供する。【解決手段】容器１０と該容器上方に嵌合する上蓋２０を含み、該上蓋上には開口２４０，２５０を設置する。該容器と該上蓋間には可動状態でゲート３０を挿入設置し、該ゲートは基板３１０と該基板に固設する駆動部を具え、該基板上には貫通孔３２０を設置する。本考案は該上蓋と該容器の間に設置する開閉可能なゲートにより、該上蓋上の第一開口２４０と第二開口２５０を開放或いは塞ぎ、こうしてインクを受け取ることができ、また該インク保存ボックス１内のインクの発散と蒸発を効果的に防止することができる。【選択図】図３
0003134107.tif 000002
【実用新案登録請求の範囲】
【請求項１】
容器と該容器上方に嵌合する上蓋を含み、該上蓋上には開口を設置し、
該容器と該上蓋間には可動状態でゲートを挿入設置し、該ゲートは基板と該基板に固設する駆動部を具え、該基板上には貫通孔を設置することを特徴とするインク保存ボックス。
【請求項２】
前記上蓋上には２個の開口を設置し、該ゲートの基板上の貫通孔は該２個の開口の間に位置し、或いは該２個の開口の内の１個と重なることを特徴とする請求項１記載のインク保存ボックス。
【請求項３】
前記駆動部は該基板片側に固定するサポートブロックと、該サポートブロック上に連接し該基板に垂直で、該基板の反対側に位置する半円筒形を呈する駆動レバーを具えることを特徴とする請求項１記載のインク保存ボックス。
【請求項４】
前記容器は底板を具え、該底板の四周縁は上方へと垂直に延伸し容器壁を形成し、該容器片側の容器壁頂点部には第一凹槽、及び該第一凹槽と連通する比較的狭い第二凹槽を設置し、該基板は該第一凹槽から該基板と該上蓋の間に挿入し、該サポートブロックは該第二凹槽内に挿入されることを特徴とする請求項３記載のインク保存ボックス。
【請求項５】
前記容器内には該容器を２個の収容空間に区切る隔絶板を設置し、該隔絶板と該第一凹槽の底部は同一高度に位置することを特徴とする請求項４記載のインク保存ボックス。
【考案の詳細な説明】
【技術分野】
【０００１】
本考案は一種のインク保存ボックスに関する。特に一種のインクジェットプリンター或いは多機能事務機のメンテナンスステーションに用いるインク保存ボックスに係る。
【背景技術】
【０００２】
インクジェットプリンター或いは多機能事務機のインクカートリッジは、作業時に通常は予熱と試し噴射の動作を行う。そのためインクジェットプリンター或いは多機能事務機は普通はメンテナンスステーションを設け、インクカートリッジのジェットノズル位置に残留するインクを拭い取り、またインクカートリッジの予熱と試し噴射で出て来たインクを受け取る。予熱と試し噴射で出て来たインクを受け取るため、メンテナンスステーション上にはインク保存ボックスを設置する。
【０００３】
図９に示すように、公知のインク保存ボックス４の構造は、容器４０と上蓋５０を含む。該容器４０はインクを入れるために用い、該上蓋５０は該容器４０上方に嵌合する。該上蓋５０上には２個の開口５１０を設置し、インクカートリッジの予熱と試し噴射で出て来たインクを受け取る。
【０００４】
しかし、インクは揮発し易く、浮遊発散し易いという特性があるため、インクはしばしば該インク保存ボックス４の開口５１０位置から浮遊発散して行ってしまう。浮遊発散して行くインク量が多ければ、発散して行くインクは機器に対して、動作異常或いは印刷品質不良などの悪影響を及ぼす。
【考案の開示】
【考案が解決しようとする課題】
【０００５】
本考案の目的は上記公知技術に存在する欠陥に対して、インクの浮遊発散と蒸発を効果的に防止可能なインク保存ボックスを提供することである。
【０００６】
上記課題を解決するため、本考案は下記のインク保存ボックスを提供する。それは主にインク保存ボックスを提供し、インク保存ボックスは容器と該容器上方に嵌合する上蓋を含み、該上蓋上には開口を設置し、該容器と該上蓋間には可動状態でゲートを挿入設置し、該ゲートは基板と該基板に固設する駆動部を具え、該基板上には貫通孔を設置する。
【０００７】
上記のように、本考案は該上蓋と該容器の間に設置する開閉可能なゲートにより、該上蓋上の第一開口と第二開口を開放或いは塞ぎ、こうしてインクを受け取ることができ、また該インク保存ボックス内のインクの発散と蒸発を効果的に防止することができる。
【課題を解決するための手段】
【０００８】
請求項１の考案は、容器と該容器上方に嵌合する上蓋を含み、該上蓋上には開口を設置し、
該容器と該上蓋間には可動状態でゲートを挿入設置し、該ゲートは基板と該基板に固設する駆動部を具え、該基板上には貫通孔を設置することを特徴とするインク保存ボックスとしている。
請求項２の考案は、前記上蓋上には２個の開口を設置し、該ゲートの基板上の貫通孔は該２個の開口の間に位置し、或いは該２個の開口の内の１個と重なることを特徴とする請求項１記載のインク保存ボックスとしている。
請求項３の考案は、前記駆動部は該基板片側に固定するサポートブロックと、該サポートブロック上に連接し該基板に垂直で、該基板の反対側に位置する半円筒形を呈する駆動レバーを具えることを特徴とする請求項１記載のインク保存ボックスとしている。
請求項４の考案は、前記容器は底板を具え、該底板の四周縁は上方へと垂直に延伸し容器壁を形成し、該容器片側の容器壁頂点部には第一凹槽、及び該第一凹槽と連通する比較的狭い第二凹槽を設置し、該基板は該第一凹槽から該基板と該上蓋の間に挿入し、該サポートブロックは該第二凹槽内に挿入されることを特徴とする請求項３記載のインク保存ボックスとしている。
請求項５の考案は、前記容器内には該容器を２個の収容空間に区切る隔絶板を設置し、該隔絶板と該第一凹槽の底部は同一高度に位置することを特徴とする請求項４記載のインク保存ボックスとしている。
【考案の効果】
【０００９】
インクの浮遊発散と蒸発を効果的に防止可能なインク保存ボックスを提供することである。
【考案を実施するための最良の形態】
【００１０】
図１、２に示すように、本考案のインク保存ボックス１はメンテナンスステーション上に装置し、インクジェットプリンター或いは多機能事務機のインクカートリッジの予熱と試し噴射で出て来たインクを受け取る。該インク保存ボックス１は容器１０、該容器１０上に嵌合する上蓋２０、該容器１０と該上蓋２０の間に設置するゲート３０（図３参照）を含む。
【００１１】
図３に示すように、該容器１０はおよそ長方形を呈する箱体で、該容器１０は長方形の板状底板１１０を具える。該底板１１０の四周縁は、上方へと垂直に延伸し容器壁を形成し、それぞれ前側壁１２０、後側壁１２１、左側壁１２２、右側壁１２３と定義する。該容器壁外側には公知の定位機構を設置し、該インク保存ボックス１をメンテナンスステーション上に固定する。該前側壁１２０と該後側壁１２１の外側面頂点部両端はそれぞれ外へと突出し凸ブロック１２４を形成する。該左側壁１２２の頂点部には第一凹槽１２２１、及び該第一凹槽１２２１と連通する比較的狭い第二凹槽１２２２を設置する。該容器１０内部は中央位置において、該前側壁１２０、該後側壁１２１及び該底板１１０を連接し、並びに該第一凹槽１２２１の底部位置と同一高度に位置する隔絶板１３０を垂直に設置し、該隔絶板１３０と該前側壁１２０、該後側壁１２１、該左側壁１２２及び該底板１１０は第一収容空間１４０を取り囲み形成する。該隔絶板１３０と該前側壁１２０、該後側壁１２１、該右側壁１２３及び該底板１１０は第二収容空間１５０を取り囲み形成する。該第一収容空間１４０と該第二収容空間１５０はそれぞれ異なるインクを入れるために用いる。
【００１２】
該上蓋２０は長方形板状の上板２１０を具え、該上板２１０の前後両側の両端には、下方へと垂直に延伸する係合片２２０を形成する。該係合片２２０上には係合孔２２１を設置し、該係合孔２２１は該前側壁１２０上の凸ブロック１２４を嵌合させ、こうして該上蓋２０は該容器１０上に固定される。該上板２１０前側の中央位置は、下方へと垂直に延伸し、さらに前方へと垂直に湾折し翼板２３０を形成し、該上蓋２０の開放に用いる。該上板２１０上にはさらに相同の大きさの２個の長方形開口を設置し、該２個の開口はそれぞれ第一開口２４０と第二開口２５０と定義される。該第一開口２４０は該上板２１０の中央部左側に位置し、該第二開口２５０は該上板２１０の右側縁に位置する。該上蓋２０を該容器１０に嵌合後は、該第一開口２４０は該第一収容空間１４０上方に位置し、該第二開口２５０は該第二収容空間１５０上方に位置する。
【００１３】
図１、図３、図４に示すように、該ゲート３０は長方形板状の基板３１０を具える。該基板３１０の中央部には、該上蓋２０上の第一開口２４０及び第二開口２５０と相同の大きさの貫通孔３２０を設置する。該基板３１０の左側中央部には、該基板３１０に垂直な駆動部３３０を固定する。該駆動部３３０は該基板３１０片側に固定するサポートブロック３３１を具える。該駆動部３３０はさらに該サポートブロック３３１上に連接し、該基板３１０に垂直で、並びに該基板３１０の反対側に位置する半円筒形を呈する駆動レバー３３２を具える。該駆動レバー３３２は該インク保存ボックスサポートフレーム（図示なし）に固定する。
【００１４】
図１、図５、図６に示すように、該ゲート３０の基板３１０は該第一凹槽１２２１から該容器１０と該上蓋２０の間に挿入され、該隔絶板１３０上に設置される。該サポートブロック３３１は該第二凹槽１２２２中に位置する。この時、該ゲート３０の基板３１０上の貫通孔３２０は該上蓋２０の第一開口２４０と第二開口２５０の間に位置し、該基板３１０の右側は該上蓋２０の第二開口２５０の右側に位置し、該基板３１０から該上蓋２０上の第一開口２４０と第二開口２５０を塞ぎ、該容器１０中のインクの発散と蒸発を防止する。
【００１５】
図７、図８に示すように、該ゲート３０の駆動レバー３３２は、インク保存ボックスサポートフレームの作用により、該基板３１０を外へと引き出し、該基板３１０が該貫通孔３２０と該上蓋２０の第一開口２４０が重なるまで引き出されると、該基板３１０右側は該上蓋２０の第二開口２５０の左側に位置する。この時、該第一開口２４０と該第二開口２５０は共に開放し、インクを受け取ることができる。
【００１６】
上記のように、本考案は該上蓋２０と該容器１０の間に設置する開閉可能なゲート３０により、該上蓋２０上の第一開口２４０と第二開口２５０を開放或いは塞ぎ、こうしてインクを受け取ることができ、また該インク保存ボックス１内のインクの発散と蒸発を効果的に防止することができる。
【図面の簡単な説明】
【００１７】
【図１】本考案インク保存ボックスの立体図である。
【図２】本考案インク保存ボックスを別の角度から示す立体図である。
【図３】本考案インク保存ボックスの立体分解図である。
【図４】本考案インク保存ボックスのゲートの立体図である。
【図５】本考案インク保存ボックスの俯瞰図である。
【図６】図５に示すインク保存ボックスのＶＩ−ＶＩ線における断面図である。
【図７】本考案インク保存ボックスのゲート開放後の俯瞰図である。
【図８】図７に示すインク保存ボックスのＶＩＩＩ−ＶＩＩＩ線における断面図である。
【図９】公知のインク保存ボックスの立体図である。
【符号の説明】
【００１８】
４  インク保存ボックス
４０  容器
５０  上蓋
５１０  開口
１  インク保存ボックス
１０  容器
１１０  底板
１２０  前側壁
１２１  後側壁
１２２  左側壁
１２２１  第一凹槽
１２２２  第二凹槽
１２３  右側壁
１２４  凸ブロック
１３０  隔絶板
１４０  第一収容空間
１５０  第二収容空間
２０  上蓋
２１０  上板
２２０  係合片
２２１  係合孔
２３０  翼板
２４０  第一開口
２５０  第二開口
３０  ゲート
３１０  基板
３２０  貫通孔
３３０  駆動部
３３１  サポートブロック
３３２  駆動レバー
【図１】
0003134107.tif 000003
【図２】
0003134107.tif 000004
【図３】
0003134107.tif 000005
【図４】
0003134107.tif 000006
【図５】
0003134107.tif 000007
【図６】
0003134107.tif 000008
【図７】
0003134107.tif 000009
【図８】
0003134107.tif 000010
【図９】
0003134107.tif 000011